(57)【要約】【課題】食品用機械や工作機械等の運転制御回路に用いられる、簡素な構造で利便性に優れた扉類の安全用スイッチを提供すること。【解決手段】リードスイッチ１５と永久磁石１１とを所定間隔を置いて対向するようにスイッチ本体１内に配設し、リードスイッチと永久磁石との間に配置された強磁性体のシャッター片７に作動杆５を連結すると共に、その作動杆をスイッチ本体にバネ８を介装して往復移動自由に設け、作動杆５の押圧部６が押動されたときに、シャッター片をリードスイッチから後退させて永久磁石の磁気作用により同スイッチの接点１５ａを閉じた状態とし、その作動杆の押動状態が解除されたときに、シャッター片をバネ弾力によってリードスイッチの前方を遮蔽する位置まで進出させて同スイッチの接点を開いた状態とするように構成した。【選択図】　図１
2004119192.tif 000002
【特許請求の範囲】
【請求項１】
リードスイッチと永久磁石とを所定間隔を置いて対向するようにスイッチ本体内に配設し、それらのリードスイッチと永久磁石との間に配置された強磁性体のシャッター片に作動杆を連結すると共に、その作動杆を前記スイッチ本体にバネを介装して一定ストロークを移動自由に設け、前記作動杆の押圧部が押動されたときに、前記シャッター片を前記リードスイッチの前方から後退させて、前記永久磁石の磁気作用により当該リードスイッチの接点を閉じた状態とし、他方、その作動杆の押動状態が解除されたときには、前記シャッター片をバネ弾力によって前記リードスイッチの前方を遮蔽する位置まで進出させて、当該リードスイッチの接点を開いた状態とするように構成したことを特徴とする扉類の安全用スイッチ。
【請求項２】
前記永久磁石が埋設された磁石体を前記スイッチ本体に対して嵌合自由に設け、前記作動杆の押圧部を押動した状態にて該磁石体がスイッチ本体から離脱したときには、前記リードスイッチの接点が開いた状態とするように構成したことを特徴とする請求項１に記載の扉類の安全用スイッチ。
【請求項３】
前記シャッター片を前記作動杆に一体状に設けたことを特徴とする請求項１又は２に記載の扉類の安全用スイッチ。
【発明の詳細な説明】
【０００１】
【発明の属する技術分野】
本発明は、食品用機械や工作機械の扉、カバー等に設置される安全用スイッチに関する。
【０００２】
【従来の技術】
一般的に食品用機械や工作機械においては、回転部分や可動部分を被う扉やカバーに安全用スイッチ装置を設置し、運転中に不意にカバー等が開けられたときに直ちに機械の運転を停止して作業者の安全を確保するようにされている。例えば、図６に示す食品用機械のフードスライサー５０には、図７に示すような安全用スイッチ装置ｘが設けられている。
【０００３】
因みに、そのフードスライサー５０は、刃物を装着する駆動軸を設けた切断処理ケース５１の背部に、大根や葱等の被切断物をそのケース内に送り込むための搬送ベルト装置５３と、そのベルト５４の上面に押えベルト５６の先端を付勢するように設けた押えベルト装置５５とからなる供給手段５２を設けた構成とされている。
【０００４】
上記安全用スイッチ装置ｘを設置する保護カバーは、駆動部を覆うように設けられた側部カバーｂとこれに被着する天部カバーｃとからなる第１保護カバーａと、押えベルト装置５５を覆うように設けられた第２保護カバーｄとで構成されている。そして、その側部カバーｂの正面内方には磁気式近接センサーＳ１のコンタクト素子ｔを横向きに取り付け、他方、第２保護カバーｄの側面には、マグネット素子ｕをそのコンタクト素子ｔに対向するように取り付けている。さらに、側部カバーｂの正面内方には別の磁気式近接センサーＳ２のコンタクト素子ｖを縦向きに取り付け、他方、天部カバーｃの下面には、マグネット素子ｗをそのコンタクト素子ｖに対向するように取り付けている。
【０００５】
しかして、フードスライサーの運転中において、第１保護カバーａの天部カバーｃが開けられたときには、近接センサーＳ２の接点が開放されることにより運転を直ちに停止し、また、第２保護カバーｄが外されたときにも、近接センサーＳ１の接点が開放されることにより運転を直ちに停止させるように運転制御回路に安全用スイッチ装置ｘの検出回路が介装されている。
【０００６】
【発明が解決しようとする課題】
上に述べた従来のフードスライサーに使用されている安全用スイッチ装置では、２個の磁気式近接センサーを使用しているために、仮に故障や作動不良があったときに、何れの近接センサー側の故障等であるのかを直ぐに判断することが容易ではなかった。また、近接センサーを２個使用しているために、１個使用の場合と比べて設備コストが高くなることは否めない。
【０００７】
この発明の目的は、作業者の安全を確保するために食品用機械や工作機械等の運転制御回路に用いられる、簡素な構造で利便性に優れた扉類の安全用スイッチを提供することにある。
【０００８】
【課題を解決するための手段】
前記目的を達成するために請求項１に記載した発明は、リードスイッチと永久磁石とを所定間隔を置いて対向するようにスイッチ本体内に配設し、それらのリードスイッチと永久磁石との間に配置された強磁性体のシャッター片に作動杆を連結すると共に、その作動杆を前記スイッチ本体にバネを介装して一定ストロークを移動自由に設け、前記作動杆の押圧部が押動されたときに、前記シャッター片を前記リードスイッチの前方から後退させて、前記永久磁石の磁気作用により当該リードスイッチの接点を閉じた状態とし、他方、その作動杆の押動状態が解除されたときには、前記シャッター片をバネ弾力によって前記リードスイッチの前方を遮蔽する位置まで進出させて、当該リードスイッチの接点を開いた状態とするように構成したことを特徴とする。
【０００９】
同様の目的を達成するために請求項２に記載した発明は、請求項１に記載の扉類の安全用スイッチにおいて、前記永久磁石が埋設された磁石体を前記スイッチ本体に対して嵌合自由に設け、前記作動杆の押圧部を押動した状態にて該磁石体がスイッチ本体から離脱したときには、前記リードスイッチの接点を開いた状態とするように構成したことを特徴とする。
【００１０】
同様の目的を達成するために請求項３に記載した発明は、請求項１又は２に記載の扉類の安全用スイッチにおいて前記シャッター片を前記作動杆に一体状に設けたことを特徴とするものである。
【００１１】
【発明の作用及び効果】
（請求項１の発明）
作動杆の押圧部が押動されていないときには、シャッター片はバネ弾力によってリードスイッチの前方に進出し、その位置にて保持される。しかして、永久磁石の磁気作用がリードスイッチに及ばないので、同リードスイッチの接点は開いた状態とされる。
【００１２】
つぎに、押圧部が押動されたときには、シャッター片はリードスイッチの前方から離れるように後退し、永久磁石の磁気作用がリードスイッチに及ぶので、同リードスイッチの接点は閉じた状態とされる。
【００１３】
（請求項２の発明）
押圧部が押動されていなくて磁石体がスイッチ本体に装着されているときには、シャッター片はバネ弾力によってリードスイッチの前方に進出し、その位置にて保持される。しかして、永久磁石の磁気作用がリードスイッチに及ばないので、同リードスイッチの接点は開いた状態とされる。
【００１４】
つぎに、押圧部を押動した状態にて磁石体がスイッチ本体に装着されているときには、シャッター片はリードスイッチから離れるように後退し、永久磁石の磁気作用がリードスイッチに及ぶので、同リードスイッチの接点は閉じた状態とされる。
【００１５】
また、押圧部を押動した状態にて磁石体がスイッチ本体から離脱したときには、シャッター片はリードスイッチから離れるように後退するところ、永久磁石の磁気作用がリードスイッチに及ばなくなることから、リードスイッチの接点は開いた状態とされる。
【００１６】
（請求項３の発明）
シャッター片は作動杆と一体状に設けられた簡素な構成とされているので、移動動作が円滑に行われ、故障を生じにくい。
【００１７】
この扉類の安全用スイッチは、可動部分を少なくした簡素な構造であって、使い勝手に優れており、食品用機械や工作機械等の安全運転制御に寄与させることができる。
【００１８】
【発明の実施の形態】
以下に、本発明の実施の形態例を図面に基づいて説明する。図１は安全用スイッチの縦断側面図、図２は作動杆の押圧部が押動された状態を示す安全用スイッチの説明図、図３は押圧部が押動されて磁石体がスイッチ本体に装着されている状態を示す安全用スイッチの説明図、図４は図３の状態において磁石体がスイッチ本体から離脱した状態を示す安全用スイッチの説明図、図５は図３の状態において押圧部の押動が解除された状態を示す安全用スイッチの説明図である。
【００１９】
図１に示す扉類の安全用スイッチＡは、函形のスイッチ本体１の内部中央に作動杆５を往復移動自由に設けている。その作動杆５は、一端側の押圧部６を圧縮バネ８により付勢されてスイッチ本体１から一定寸法だけ外方へ突出するように設けられ、他端側に強磁性体のシャッター片７を直線的に一体状に設けている。
【００２０】
１０は永久磁石１１が埋設された扁平なブロック型の磁石体である。この磁石体１０はスイッチ本体１の一側部１ａに形成された窪み２に嵌合自由に設けられると共に、ビス１２にて該スイッチ本体１に取り付けられている。１５はスイッチ本体１の他側部１ｂ寄りに内設された基盤１６に設けられたリードスイッチである。このリードスイッチ１５に結線されたリード線１７の他端１７ａは、スイッチ本体１から外方へ突出されている。
【００２１】
上記磁石体１０とリードスイッチ１５とは、シャッター片７を挟んで所定間隔を置いて対向するように配置されている。なお、磁石体１０については、後述するように、ビス１２を一旦外してから扉やカバー等に付け替えて使用することができるように設けられている。
【００２２】
しかして、この扉類の安全用スイッチＡは、図１に示す作動杆５の押圧部６が押動されていないときに、シャッター片７がリードスイッチ１５の前方を遮蔽する位置まで進出して永久磁石１１の磁気作用を阻むので、当該リードスイッチ１５の接点１５ａは開いた状態とされる。また、図２に示すように、押圧部６が押動されたときには、シャッター片７がリードスイッチ１５の前方から後退し、永久磁石１１の磁気作用がリードスイッチ１５に働くので、同リードスイッチ１５の接点１５ａは閉じた状態とされるように構成されている。
【００２３】
つぎに、かかる構成になる扉類の安全用スイッチＡを食品機械の保護カバーに適用する場合について説明する。
（１）押圧部６がカバー２１により上から押動されて、カバー２２に取り付けられた磁石体１０がスイッチ本体１に装着されている場合（図３）
カバー２１，２２が正規の位置に配置されている場合であって、リードスイッチ１５の接点１５ａが閉じているので、食品機械の運転は可能である。
（２）（１）の状態において運転中にカバー２２が外された場合（図４）
このときには、リードスイッチ１５の接点１５ａが開くので、食品機械の運転を直ちに停止するように制御される。
（３）（１）の状態において運転中にカバー２１が外された場合（図５）
このときには、リードスイッチ１５の接点１５ａが開くので、食品機械の運転を直ちに停止するように制御される。
【００２４】
以上の通り、この扉類の安全用スイッチは、スイッチの機構部分である可動部分を少なくした簡素な構造とすることにより故障が生じにくく、１モーション又は２モーションの機能を有するので利便性に優れる。
【図面の簡単な説明】
【図１】安全用スイッチの縦断側面図
【図２】作動杆の押圧部が押動された状態を示す安全用スイッチの説明図
【図３】押圧部が押動されて磁石体がスイッチ本体に装着されている状態を示す安全用スイッチの説明図
【図４】図３の状態において磁石体がスイッチ本体から離脱した状態を示す安全用スイッチの説明図
【図５】図３の状態において押圧部の押動が解除された状態を示す安全用スイッチの説明図
【図６】従来の安全用スイッチ装置を設置したフードスライサーの説明図
【図７】従来の安全用スイッチ装置が設置された保護カバーの説明図
【符号の説明】
Ａ・・・扉類の安全用スイッチ
１・・・スイッチ本体
５・・・作動杆
６・・・押圧部
７・・・シャッター片
８・・・バネ
１０・・・磁石体
１１・・・永久磁石
１５・・・リードスイッチ
１５ａ・・・接点
【図１】
2004119192.tif 000003
【図２】
2004119192.tif 000004
【図３】
2004119192.tif 000005
【図４】
2004119192.tif 000006
【図５】
2004119192.tif 000007
【図６】
2004119192.tif 000008
【図７】
2004119192.tif 000009